【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
切除カテーテルであって、
遠位部分を備える長尺シャフトと、
切除カテーテルシャフト遠位部分に配置されて組織へエネルギーを送達するように構成される少なくとも一つの切除要素と、
を包含する切除カテーテルと、
診断カテーテルであって、
遠位端部を包含する長尺シャフトであって、前記切除カテーテルシャフトの前記遠位部分を摺動式に収容するように構成される診断カテーテルシャフトである、長尺シャフトと、
前記診断カテーテルシャフトに取り付けられて、圧縮状態から拡開状態へ移行するように構成される拡開アセンブリと、
前記拡開アセンブリに結合される複数の双極子マッピング電極と、
前記拡開アセンブリに結合される複数の超音波トランスデューサと、
を包含する診断カテーテルと、
距離測定アセンブリであって、前記複数の超音波トランスデューサの各超音波トランスデューサと各超音波トランスデューサに直交する組織表面との間の距離を表すデータセットを作成する距離測定アセンブリと、
を包含する切除システム。
【請求項２】
表面単極電圧情報と、
表面双極電圧情報と、
表面電荷密度情報と、
単相活動電位情報と、
心臓壁位置および心臓壁厚情報などの解剖学的幾何学形状情報と、
以上の組み合わせと、
から成るグループから選択される情報を提供するように前記診断カテーテルが構成される、請求項１のシステム。
【請求項３】
遠位端部を備えるシースをさらに包含し、前記拡開アセンブリが、シース遠位端部から出る際に径方向に拡開するように構成される、請求項１のシステム。
【請求項４】
前記拡開アセンブリが、形状記憶合金か形状記憶ポリマーの少なくとも一方、または両方を包含する複数の拡開部材を包含する、請求項１のシステム。
【請求項５】
前記拡開アセンブリが複数の屈曲スプラインを包含し、各スプラインが近位端部と遠位端部と離間した双極子マッピング電極のセットとを包含する、請求項１のシステム。
【請求項６】
前記離間した双極子マッピング電極のセットが少なくとも４個の双極子マッピング電極を包含する、請求項５のシステム。
【請求項７】
各スプラインが離間した超音波トランスデューサのセットをさらに包含する、請求項５のシステム。
【請求項８】
前記離間した超音波トランスデューサのセットが少なくとも４個の超音波トランスデューサを包含する、請求項７のシステム。
【請求項９】
各スプラインがさらに、前記複数の双極子マッピング電極を少なくとも二つと、前記複数の超音波トランスデューサを少なくとも二つ包含し、各スプラインで、二つの隣接する超音波トランスデューサの間に前記複数の双極子マッピング電極が一つまたは複数配設される、請求項５のシステム。
【請求項１０】
各スプライン近位端部が診断カテーテル長尺シャフト遠位端部に近接する位置に固定装着され、各スプライン遠位端部が周方向配設形態で接続される、請求項５のシステム。
【請求項１１】
前記拡開アセンブリが拡開状態にある時に前記周方向配設形態が開口部を画定する、請求項１０のシステム。
【請求項１２】
前記診断カテーテルシャフトが、中心軸線を画定する遠位部分を包含し、前記開口部が前記軸線で相対的にセンタリングされ、前記切除カテーテルの遠位端部を収容するのに十分な大きさである、請求項１１のシステム。
【請求項１３】
前記拡開アセンブリが二つ以上のガイド要素をさらに包含し、前記切除カテーテルの遠位端部が前記開口部を通過するように前記ガイド要素が案内する請求項１１のシステム。
【請求項１４】
前記切除カテーテルが遠位端部を包含し、各スプラインがさらに、近位端部と遠位端部との間に配置される中央部分を包含し、前記切除カテーテル遠位端部が、前記屈曲スプラインが拡開状態にある時に径方向に撓曲して、前記切除カテーテル遠位端部に第１スプライン中央部分と第２スプライン中央部分との間を通過させるように構成される、請求項５のシステム。
【請求項１５】
前記複数の双極子マッピング電極が、０．１ヘルツを上回る周波数について１０，０００オーム未満のインピーダンスを持つ少なくとも一つの双極子マッピング電極を包含する、請求項１のシステム。
【請求項１６】
前記複数の超音波トランスデューサが、
単要素または多要素の圧電セラミックスと、
圧電微細加工による超音波トランスデューサ（ｐＭＵＴ）と、
容量性微細加工による超音波トランスデューサ（ｃＭＵＴ）と、
圧電ポリマーと、
以上の組み合わせと、
から成るグループから選択されるアセンブリを包含する、請求項１のシステム。
【請求項１７】
前記複数の超音波トランスデューサの各々が二つの双極子マッピング電極の間に設置される、請求項１のシステム。
【請求項１８】
前記診断カテーテルシャフトが、中に配置される二つ以上の電気導体を包含する壁を包含する、請求項１のシステム。
【請求項１９】
前記二つ以上の電気導体が二つ以上の同軸ケーブルを包含する、請求項１８のシステム。
【請求項２０】
前記切除カテーテルが、エネルギーを送達して電気信号を記録するように構成される多数の電極を包含する、請求項１のシステム。
【請求項２１】
前記少なくとも一つの切除要素が、
電極と、
低温エネルギーを送達するように構成される導管と、
レーザダイオードと、
切除エネルギーを送達するように構成される光ファイバと、
マイクロ波エネルギー送達要素と、
超音波エネルギー送達要素と、
薬品または他の薬剤の送達要素と、
以上の組み合わせと、
から成るグループから選択される切除要素を包含する、請求項１のシステム。
【請求項２２】
前記距離測定アセンブリが、前記診断カテーテルの複数の超音波トランスデューサへ信号を送達し、前記診断カテーテルの複数の超音波トランスデューサからの第１発生信号を記録し、前記第１発生信号の記録に基づいて第１距離情報セットを作成するように構成される、請求項１のシステム。
【請求項２３】
少なくとも第１電極と第２電極とを包含するシステムであり、前記距離測定アセンブリが、前記第１電極と前記第２電極との間の距離を表すデータを作成する、請求項１のシステム。
【請求項２４】
前記第１電極が電気信号を送達するように構成され、前記第２電極が前記第１電極により送達される前記電気信号を記録するように構成され、前記距離測定アセンブリが、前記記録された電気信号に基づいて前記データを作成する、請求項２３のシステム。
【請求項２５】
前記第１電極が双極子マッピング電極を包含し、前記切除カテーテルが前記第２電極を包含し、前記距離測定アセンブリが、前記診断カテーテルと前記切除カテーテルとの間の距離を表すデータを作成する、請求項２３のシステム。
【請求項２６】
前記診断カテーテルが少なくとも二つの電極を包含し、前記距離測定アセンブリが、前記診断カテーテルの少なくとも二つの電極へ信号を送達し、前記診断カテーテルの少なくとも二つの電極からの第１発生信号を記録し、前記第１発生信号の記録に基づいて第１距離情報セットを作成するように構成され、
前記第１距離情報セットが前記拡開アセンブリの幾何学的構成を表す、請求項１のシステム。
【請求項２７】
さらに少なくとも一つの体表面電極を包含し、前記距離測定アセンブリがさらに、前記少なくとも一つの体表面電極へ信号を送達し、前記少なくとも一つの体表面電極からの第２発生信号を記録し、前記第２発生信号の記録に基づいて第２距離情報セットを作成するように構成される、請求項２６のシステム。
【請求項２８】
前記切除カテーテルの前記少なくとも一つの切除要素へエネルギーを提供するように構成されるエネルギー源をさらに包含し、
無線周波数エネルギーと、
低温エネルギーと、
レーザエネルギーと、
光エネルギーと、
マイクロ波エネルギーと、
超音波エネルギーと、
化学エネルギーと、
以上の組み合わせと、
から成るグループから選択されるエネルギー形態を提供するように前記エネルギー源が構成される、請求項１のシステム。
【請求項２９】
電位図記録カテーテルをさらに包含する、請求項１のシステム。
【請求項３０】
第２切除カテーテルをさらに包含し、前記第２切除カテーテルが前記診断カテーテルシャフトにより摺動式に収容されるように構成される、請求項１のシステム。
【請求項３１】
前記診断カテーテルシャフトにより摺動式に収容されるように構成される第３カテーテル装置をさらに包含し、
前記第３カテーテル装置が、
電極の螺旋アレイを備えるカテーテルと、
ペーシングカテーテルと、
無線周波数エネルギー、マイクロ波エネルギー、低温エネルギー、レーザエネルギー、および／または超音波エネルギーを送達するように構築および配設されるエネルギー送達カテーテルと、
抗不整脈薬、幹細胞、または他の生物学的薬剤を送達するように構築および配設される薬品または他の薬剤の送達カテーテルと、
機械装置送達カテーテルと、
以上の組み合わせと、
から成るグループから選択される装置を包含する、請求項１のシステム。
【手続補正２】
【補正対象書類名】明細書
【補正対象項目名】発明の名称
【補正方法】変更
【補正の内容】
【発明の名称】切除システム